(57)【要約】【課題】簡易な設計で電池の保持力を高めて、電池を固定させる。【解決手段】バネコネクタ（１）は、携帯端末（１０）とフレキシブルアンテナ（１３）とを電気的に接続する給電用バネ（２）と、給電用バネ（２）と間隔を空けて配置され、電池パック（１１）を携帯端末（１０）に固定する方向に弾性力を発生する固定用バネ（３）と、を備えている。また、電池パック（１１）は、バネコネクタ（１）が備える固定用バネ（３）に対向する位置に、固定用バネ（３）と接続するように突出する固定部（１５）を備えている。【選択図】図１
2014186866.tif 000002
【特許請求の範囲】
【請求項１】
電子機器と、該電子機器に装着される電池パックに備えられているアンテナと、を接続するアンテナ接続素子であって、
上記電子機器と上記アンテナとを電気的に接続する電気的接続端子と、
上記電気的接続端子と間隔を空けて配置され、上記電池パックを上記電子機器に固定する方向に弾性力を発生する固定用弾性体と、を備えていることを特徴とするアンテナ接続素子。
【請求項２】
上記電気的接続端子と上記固定用弾性体とが、同一寸法、同一材料かつ同一強度であることを特徴とする、請求項１に記載のアンテナ接続素子。
【請求項３】
上記電気的接続端子が複数設けられているとともに、
上記固定用弾性体が、複数の上記電気的接続端子と所定の位置関係を成して並ぶように設置されていることを特徴とする、請求項１または２に記載のアンテナ接続素子。
【請求項４】
アンテナを備え、当該アンテナと上記電子機器とが請求項１に記載のアンテナ接続素子により接続される電池パックであって、
上記アンテナ接続素子が備える上記固定用弾性体に対向する位置に、上記固定用弾性体と接続するように突出する突出部を備えていることを特徴とする電池パック。
【請求項５】
上記固定用弾性体と接続する上記突出部の面には、上記固定用弾性体が嵌るように溝が形成されていることを特徴とする、請求項４に記載の電池パック。
【発明の詳細な説明】
【技術分野】
【０００１】
本発明はアンテナ接続素子および電池パックに関する。
【背景技術】
【０００２】
携帯端末等の電子機器に装着される充電式の電池パックを保持する方法として、従来より様々な方法が提示されている。
【０００３】
たとえば、特許文献１には、ゴム系材料のバンド部材を電池パックと蓋体との間に挟み、かつ電池端子と対向する側の壁部にバンド部材を設けることで、バンド部材の弾性と摩擦力により電池パックと電子機器とを保持する方法が開示されている。
【先行技術文献】
【特許文献】
【０００４】
【特許文献１】特開２０１１‐８１９５８号公報（２０１１年０４月２１日公開）
【発明の概要】
【発明が解決しようとする課題】
【０００５】
しかしながら、特許文献１において、バンド部材には寸法公差があり、バンド部材が適正な厚さでない場合、電池パックと電子機器との間でガタつきが発生する。また、バンド部材の長さ方向も適正な長さでない場合、電池パックを電池端子に押圧する力が十分に得られず、上記ガタつきが発生する。これらのガタつきにより電子機器側のバネと電池パック側の給電部の接点部分に擦れが生じ、電池パックの給電部が激しく摩耗し、電子機器が電池パックと電気的に接続されなくなる等の問題がある。
【０００６】
本発明は、上記の問題点に鑑みてなされたものであって、その目的は、簡易な設計で電池の保持力を高めて、電池を固定させることにある。
【課題を解決するための手段】
【０００７】
上記の課題を解決するために、本発明の一態様に係るアンテナ接続素子は、電子機器と、該電子機器に装着される電池パックに備えられているアンテナと、を接続するアンテナ接続素子であって、上記電子機器と上記アンテナとを電気的に接続する電気的接続端子と、上記電気的接続端子と間隔を空けて配置され、上記電池パックを上記電子機器に固定する方向に弾性力を発生する固定用弾性体と、を備えているものである。
【発明の効果】
【０００８】
本発明の一態様によれば、固定用弾性体により電池パックが電子機器に固定される。このため、電子機器とアンテナとを電気的に接続させる電気的接続端子により電池パックが電子機器に保持されるだけではなく、固定用弾性体によっても電池パックが電子機器に保持される。したがって、電池パックの保持力を高めることができる。しかも、固定用弾性体は、たとえば電気的接続端子と同一寸法・同一材料・同一強度の部材を、アンテナ接続素子において電気的接続端子が設けられていない箇所に適宜設けるという簡易な設計により実現可能である。
【０００９】
以上のように、固定用弾性体を設けるという簡易な設計で、電気的接続素子による電池パックの保持力を高めることにより、電池パックを確実に固定させることができる。
【図面の簡単な説明】
【００１０】
【図１】本発明の一実施形態に係るバネコネクタを備えた携帯端末に、本発明の一実施形態に係る電池パックが装着された状態の概要構成を示す図である。
【図２】図１の電池パックを示す斜視図である。
【図３】（ａ）〜（ｅ）は、本発明の実施形態１に係るバネコネクタおよび電池パックを示す上面図である。
【図４】（ａ）は、本発明の実施形態２に係るバネコネクタおよび電池パックを示す上面図である。（ｂ）および（ｃ）は、本発明の実施形態２に係る凸部の形状を示す図である。
【図５】（ａ）および（ｂ）は、本発明の実施形態３に係るバネコネクタおよび電池パックを示す上面図である。
【発明を実施するための形態】
【００１１】
本発明の実施形態について、図１〜図５に基づいて説明すれば、以下のとおりである。なお、以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付記し、適宜その説明を省略する。
【００１２】
また、以下の実施の形態における本願発明の説明では、電池パックに設置されるアンテナとして、フレキシブルプリント基板を用いた板状のアンテナ（フレキシブルアンテナ）を例として説明するが、アンテナはこれに限定されるものではない。たとえば、硬質基板にアンテナパターンを設けたアンテナ等であっても、給電端子を電池パックの面上に有するものであれば、本発明の適用は可能である。
【００１３】
〔実施形態１〕
＜アンテナ接続素子の概要構成について＞  まず、図１に基づいて、本発明の実施の一形態であるバネコネクタ１（アンテナ接続素子）の概要構成について説明をする。図１は、本発明の一実施形態に係るバネコネクタ１を備えた携帯端末１０（電子機器）に本発明の一実施形態に係る電池パック１１が装着された状態の概要構成を示す図である。
【００１４】
図１に示すように、携帯端末１０は、電池格納室１２およびバネコネクタ１を備える。電池格納室１２は、電池パック１１を格納するものである。電池パック１１は、携帯端末１０に電力を供給するものである。たとえば、ニッケル水素電池やリチウムイオン電池などの２次電池が使用される。なお、電池パック１１には、フレキシブルアンテナ１３が貼り付けられている。
【００１５】
フレキシブルアンテナ１３は、フレキシブルプリント基板を用いた板状のアンテナであり、フレキシブルアンテナ１３が外部から受信した情報を電気信号に変換した後、携帯端末１０に電気信号を伝達するものである。フレキシブルアンテナ１３には、給電部１４と固定部１５（突出部）が設置されている。
【００１６】
給電部１４は、バネコネクタ１を介してフレキシブルアンテナ１３を携帯端末１０に電気的に接続するものであり、バネコネクタ１が備える給電用バネ２（電気的接続端子）に対向する位置に設置されている。固定部１５は、固定用バネ３（固定用弾性体）がフレキシブルアンテナ１３に接続する箇所に、バネコネクタ１と接続される側の電池パック１１の一面から突出する形状で設置されている。すなわち、バネコネクタ１が備える固定用バネ３に対向する位置に、固定用バネ３と接続するように突出する形状で設置されている。なお、給電用バネ２および固定用バネ３については、後述する。
【００１７】
また、固定部１５は、フレキシブルアンテナ１３と携帯端末１０とを電気的に絶縁する。固定部１５を形成する絶縁材料として、たとえばＰＥＴ（Polyethylene terephthalate）、ポリカーボネートまたはゴムなどが使用される。
【００１８】
また、図１に示すように、バネコネクタ１は、電池格納室１２側に突出する給電用バネ２および固定用バネ３を備える。給電用バネ２は、給電部１４を介して携帯端末１０をフレキシブルアンテナ１３に電気的に接続するものであり、固定用バネ３は、固定部１５を介して電池パック１１を携帯端末１０に固定させるものである。
【００１９】
電池パック１１が電池格納室１２に格納された際には、給電用バネ２および固定用バネ３が、電池パック１１によりバネコネクタ１側に押し付けられることで圧縮され、圧縮されたバネの復元力によって電池パック１１を携帯端末１０に保持することができる。
【００２０】
すなわち、上記の構成によれば、固定用バネ３により電池パック１１が携帯端末１０に固定される。このため、携帯端末１０とフレキシブルアンテナ１３とを電気的に接続させる給電用バネ２により電池パック１１が携帯端末１０に保持されるだけではなく、固定用バネ３によっても電池パック１１が携帯端末１０に保持される。したがって、電池パック１１の保持力を高めることができる。しかも、固定用バネ３は、たとえば給電用バネ２と同一寸法・同一材料・同一強度の部材を、バネコネクタ１において給電用バネ２が設けられていない箇所に適宜設けるという簡易な設計により実現可能である。
【００２１】
以上のように、固定用バネ３を設けるという簡単な設計で、給電用バネ２による電池パック１１の保持力を高めることにより、電池パック１１を確実に固定させることができる。
【００２２】
ここで、たとえば、固定用バネ３および給電用バネ２を同一寸法・同一材料・同一強度のものとし、固定部１５にＰＥＴ（ｔ１．０）を用いた場合、固定用バネ３による復元力を給電用バネ２よりも約１０％大きくすることができる。このため、固定用バネ３による電池パック１１の保持力を向上させることができる。
【００２３】
上記の構成によれば、給電用バネ２を固定用バネ３としても用いることにより、固定用バネ３専用のバネを別途開発する必要が無くなる。それゆえ、固定用バネ３をバネコネクタ１に設けるという設計を簡易に可能とする。
【００２４】
また、上記の構成によれば、固定用バネ３と接続するように固定部１５が設置される。このため、電池パック１１を携帯端末１０に装着させた際に、固定用バネ３の変位を固定部１５の厚み分だけ増加させることができる。よって、固定用バネ３により電池パック１１の保持力を向上させることができる。それゆえ、固定部１５を電池パック１１に設けるという簡単な設計で、バネコネクタ１による電池パック１１の保持力を高めることにより、電池パック１１を確実に固定させることができる。
【００２５】
また、固定部１５に、ＰＥＴなどの弾力性のある絶縁材料を用いることで、固定用バネ３と固定部１５との密着性が高まる。これにより、固定用バネ３による電池パック１１の保持力を向上させることができる。それゆえ、簡易な設計で電池パック１１の保持力を高めて、電池パック１１を固定させることができる。
【００２６】
なお、固定用バネ３は給電用バネ２と同一寸法・同一材料・同一強度でなくてもよい。すなわち、電池パック１１を固定する適切な保持力が得られるように、固定用バネ３の寸法および強度を、固定用バネ３の個数、固定用バネ３の位置、固定部１５の絶縁材料の種類、および固定部１５の厚みに応じて適宜決定してもよい。
【００２７】
＜電池パック１１の詳細＞  次に、図２に基づき、電池パック１１について詳細に説明をする。図２は、図１の電池パック１１を示す斜視図である。図２に示すように、電池パック１１には、フレキシブルアンテナ１３が折り曲げられた状態で、電池パック１１に沿うように設置されている。具体的には、フレキシブルアンテナ１３の大部分の面は、フレキシブルアンテナ１３が外部から情報を受信しやすい電池パック１１の面上に沿うように設置されており、またフレキシブルアンテナ１３のもう一方の面は、携帯端末１０とフレキシブルアンテナ１３とが電気的に接続する側の面に貼り付けられている。
【００２８】
また、フレキシブルアンテナ１３の基板は、電池パック１１の表面よりも軟らかい。このため、図２に示すように、携帯端末１０とフレキシブルアンテナ１３とが電気的に接続する側の電池パック１１の面に凹部１６を設けて、凹部１６内にフレキシブルアンテナ１３の一面が嵌るように設置されている。なお、基板の硬軟を考慮しなくてもよい場合は、電池パック１１にフレキシブルアンテナ１３が嵌るための凹部１６を設けなくてもよい。
【００２９】
＜バネコネクタ１の詳細＞  次に、図３の（ａ）〜（ｅ）に基づき、本発明の実施形態に係るバネコネクタ１の一例について詳細に説明する。図３の（ａ）〜（ｅ）は、発明の本実施形態１に係るバネコネクタ１および電池パック１１を示す上面図である。図３の（ａ）に示すように、本実施形態のバネコネクタ１には、１つの固定用バネ３が異なる２つの給電用バネ２の間に挟まれるように設置されており、電池パック１１における固定用バネ３および給電用バネ２に接続する位置には固定部１５および給電部１４が各々設置されている。
【００３０】
上記の構成によれば、固定用バネ３を挟んでいる２つの給電用バネ２が電池パック１１に付与する圧力を、固定用バネ３による電池パック１１の保持力に寄与させることができる。それゆえ、バネコネクタ１による電池パック１１の保持力をさらに高め、電池パック１１をより確実に固定することができる。
【００３１】
なお、固定用バネ３および給電用バネ２の位置は、固定用バネ３および給電用バネ２が確実に電池パック１１に接触できる位置であればよい。
【００３２】
また、固定用バネ３の個数、および固定用バネ３と給電用バネ２の位置については、電池パック１１を携帯端末１０に適切に保持できるのであれば、変更してもよい。たとえば、図３の（ｂ）に示すように、バネコネクタ１において、２つの給電用バネ２を２つの固定用バネ３で挟むように設置してもよい。このときの携帯端末１０の周縁部側にある固定用バネ３は、フレキシブルアンテナ１３上に設置された固定部１５と接続され、またもう一方の携帯端末１０の内部寄りにある固定用バネ３は、フレキシブルアンテナ１３上にはない電池パック１１面に設置された固定部１５に接続されていてもよい。
【００３３】
なお、固定部１５はフレキシブルアンテナ１３上になくともよく、フレキシブルアンテナ１３を、固定部１５を避けるような形状にしてもよい。
【００３４】
また、たとえば、図３の（ｃ）に示すように、バネコネクタ１において、携帯端末１０の周縁部側に２つの給電用バネ２を設置し、携帯端末１０の内部寄りに１つの固定用バネ３を設置してもよい。このとき、固定用バネ３はフレキシブルアンテナ１３上に設置された固定部１５と接続される。
【００３５】
なお、固定部１５はフレキシブルアンテナ１３上になくともよく、フレキシブルアンテナ１３を、固定部１５を避けるような形状にしてもよい。
【００３６】
また、たとえば、図３の（ｄ）に示すように、バネコネクタ１において、携帯端末１０の周縁部側に２つの給電用バネ２を設置し、携帯端末１０の内部寄りに１つの固定用バネ３を設置してもよい。このとき、固定用バネ３はフレキシブルアンテナ１３上にはない電池パック１１面に設置された固定部１５に接続される。
【００３７】
また、たとえば、図３の（ｅ）に示すように、バネコネクタ１において、２つの給電用バネ２と２つの固定用バネ３とを交互に設置してもよい。このとき、携帯端末１０の周縁部から内部に向かって、給電用バネ２、固定用バネ３、の順に設置されてもよく、携帯端末１０の内部寄りにある固定用バネ３はフレキシブルアンテナ１３上にはない電池パック１１面に設置された固定部１５に接続されてもよい。
【００３８】
なお、固定用バネ３の位置は、上記の実施形態に限らず、電池パック１１を携帯端末１０に保持する適切な保持力が得られ、確実に給電バネ２と電池パック１１の給電部１４との接続が得られれば、電池パック１１と接続する側の携帯端末１０の面のどの箇所にも設置することが可能である。
【００３９】
〔実施形態２〕
次に、図４の（ａ）〜（ｃ）に基づき、本発明の別の実施形態に係るバネコネクタ１と電池パック１１について説明する。図４の（ａ）は、発明の本実施形態２に係るバネコネクタ１および電池パック１１を示す上面図である。図４の（ａ）に示すように、電池パック１１には、固定部１５の代わりに凸部１７（突出部）が設けられている。
【００４０】
凸部１７は、バネコネクタ１が備える固定用バネ３に対向する位置に、固定用バネ３と接続するように突出する形状となっている。なお、凸部１７は、電池パック１１の形状の一部であり、凸部１７はプラスチックなどの絶縁材料で被覆されている。
【００４１】
また、フレキシブルアンテナ１３は、凸部１７を突出させるための孔が形成され、または凸部１７を避けるような形状となっている。バネコネクタ１については、実施形態１にて前述した図３の（ａ）と同様の構成を想定している。
【００４２】
凸部１７を設けることにより、固定部１５を設置したときと同様な効果を得ることができる。すなわち、上記の構成によれば、固定用バネ３と接続するように凸部１７が設置される。このため、電池パック１１を携帯端末１０に装着させた際に、固定用バネ３の変位を凸部１７の厚み分だけ増加させることができる。よって、固定用バネ３により電池パック１１の保持力を向上させることができる。それゆえ、凸部１７を電池パック１１に設けるという簡易な設計で、バネコネクタ１による電池パック１１の保持力を高めることにより、電池パック１１を確実に固定させることができる。
【００４３】
図４の（ｂ）および（ｃ）は、発明の本実施形態２に係る凸部１７の形状を示す図である。図４の（ｂ）に示すように、凸部１７が固定用バネ３に接続する面は、バネコネクタ１に対して平らな面であってもよい。これにより、電池パック１１が電池格納室１２に格納された際に、凸部１７と固定用バネ３とが確実に接続され、電池パック１１の保持力を高めることができる。
【００４４】
また、固定用バネ３の先端の形状は、図４の（ｂ）に示すようなフラットな形状とは限らず、図４の（ｃ）に示すように丸みを帯びた形状の場合もある。この場合、図４の（ｃ）に示すように、固定用バネ３と接続する凸部１７の面には、固定用バネ３が嵌るように丸みを帯びた溝が形成されている。
【００４５】
上記の構成によれば、電池パック１１を携帯端末１０に装着させた際に、固定用バネ３が凸部１７と確実に接続され、電池パック１１の保持力を高めることができる。さらに、携帯端末１０が大きな衝撃を受けた際に、固定用バネ３が凸部１７から外れることを防止し、電池パック１１を確実に保持することができる。
【００４６】
なお、固定用バネ３は給電用バネ２と同一寸法・同一材料・同一強度でなくてもよい。すなわち、電池パック１１を固定する適切な保持力が得られるように、固定用バネ３の寸法および強度を、固定用バネ３の個数、固定用バネ３の位置、固定部１５の絶縁材料の種類、および固定部１５の厚みに応じて決定してもよい。
【００４７】
また、特に、固定用バネ３の位置は、上記の実施形態に限らず、電池パック１１を携帯端末１０に保持する適切な保持力が得られ、確実に給電バネ２と電池パック１１の給電部１４との接続が得られるのであれば、電池パック１１と接続する側の携帯端末１０の面のどの箇所にも設置することが可能である。
【００４８】
〔実施形態３〕
次に、図５の（ａ）および（ｂ）に基づき、本発明のさらに別の実施形態に係るバネコネクタ１と電池パック１１について説明する。図５の（ａ）および（ｂ）は、発明の本実施形態３に係るバネコネクタ１および電池パック１１を示す上面図である。
【００４９】
図５の（ａ）に示すように、電池パック１１には固定部１５が設置されておらず、固定用バネ３を給電用バネ２よりも長い形状のものを用いている。フレキシブルアンテナ１３は、固定用バネ３がフレキシブルアンテナ１３と接触しないよう、固定用バネ３を貫通させる孔が形成され、または凸部１７（図４の（ａ）参照）を避けるような形状となっている。なお、固定用バネ３および給電用バネ２の位置は、給電用バネ２が確実に電池パック１１に接触できる位置であればよい。
【００５０】
また、固定用バネ３の個数、および固定用バネ３と給電用バネ２の位置については、電池パック１１を携帯端末１０に適切に保持できるのであれば、変更してもよい。たとえば、図５の（ｂ）に示すように、バネコネクタ１における固定用バネ３を、携帯端末１０の内部寄りでフレキシブルアンテナ１３が設置されていない電池パック１１の面に接触するよう設置してもよい。
【００５１】
上記の構成によれば、固定用バネ３を給電用バネ２よりも長いものを用いることにより、固定部１５を設置したときと同様な効果を得ることができる。すなわち、電池パック１１が電池格納室１２に格納された際には、給電用バネ２および固定用バネ３が、電池パック１１によりバネコネクタ１側に押し付けられることで圧縮され、圧縮されたバネの復元力によって電池パック１１を携帯端末１０に保持することができる。
【００５２】
また、固定用バネ３は給電用バネ２よりも長くなっているため、電池パック１１を携帯端末１０に装着させた際に、固定用バネ３の変位を給電用バネ２の変位よりも増加させることができる。よって、固定用バネ３により電池パック１１の保持力を向上させることができる。それゆえ、固定用バネ３を給電用バネ２よりも長くするという簡易な設計で、バネコネクタ１による電池パック１１の保持力を高めることにより、電池パック１１を確実に固定させることができる。
【００５３】
なお、固定用バネ３の位置は、上記の実施形態に限らず、電池パック１１を携帯端末１０に保持する適切な保持力が得られ、確実に給電バネ２と電池パック１１の給電部１４の接続が得られれば、電池パック１１と接続する側の携帯端末１０の面のどの箇所にも設置することが可能である。
【００５４】
上記の各実施の形態の説明において、固定用バネ３として給電用バネ２を用いる例を示した。また、固定用バネ３は給電用バネ２と同一寸法・同一材料・同一強度でなくてもよい場合も示した。その場合、電池パック１１を固定する適切な保持力が得られるように、固定用バネ３の寸法および強度を、固定用バネ３の個数、固定用バネ３の位置、固定部１５の絶縁材料の種類、および固定部１５の厚みに応じて適宜決定してもよい。
【００５５】
〔まとめ〕
本発明の態様１に係るアンテナ接続素子（バネコネクタ１）は、電子機器（携帯端末１０）と、該電子機器に装着される電池パック（１１）に備えられているアンテナ（１３）と、を接続するアンテナ接続素子であって、上記電子機器と上記アンテナとを電気的に接続する電気的接続端子（給電用バネ２）と、上記電気的接続端子と間隔を空けて配置され、上記電池パックを上記電子機器に固定する方向に弾性力を発生する固定用弾性体（固定用バネ３）と、を備えている。
【００５６】
上記の構成によれば、上記固定用弾性体により上記電池パックが上記電子機器に固定される。このため、上記電子機器と上記アンテナとを電気的に接続させる上記電気的接続端子により上記電池パックが上記電子機器に保持されるだけではなく、上記固定用弾性体によっても上記電池パックが上記電子機器に保持される。したがって、上記電池パックの保持力を高めることができる。しかも、上記固定用弾性体は、たとえば上記電気的接続端子と同一寸法・同一材料・同一強度の部材を、上記アンテナ接続素子において上記電気的接続端子が設けられていない箇所に適宜設けるという簡易な設計により実現可能である。
【００５７】
以上のように、上記固定用弾性体を設けるという簡易な設計で、上記電気的接続素子による上記電池パックの保持力を高めることにより、上記電池パックを確実に固定させることができる。
【００５８】
本発明の態様２に係るアンテナ接続素子は、上記態様１において、上記電気的接続端子と上記固定用弾性体とが、同一寸法、同一材料かつ同一強度であってもよい。
【００５９】
上記の構成によれば、上記電気的接続端子を上記固定用弾性体としても用いることにより、上記固定用弾性体専用の弾性体を別途開発する必要が無くなる。それゆえ、上記固定用弾性体を上記アンテナ接続素子に設けるという設計を簡易に可能とする。
【００６０】
本発明の態様３に係るアンテナ接続素子は、上記態様１または２において、上記電気的接続端子が複数設けられているとともに、上記固定用弾性体が、複数の上記電気的接続端子と所定の位置関係を成して並ぶように設置されている。
【００６１】
上記の構成によれば、固定用弾性体と所定の位置関係を成して並ぶように設置されている電気的接続端子が上記電池パックに付与する圧力を、上記固定用弾性体による上記電池パックの保持力に寄与させることができる。それゆえ、上記アンテナ接続素子による上記電池パックの保持力をさらに高め、上記電池パックをより確実に固定することができる。
【００６２】
本発明の態様４に係る電池パックは、アンテナを備え、当該アンテナと上記電子機器とが上記態様１に記載のアンテナ接続素子により接続される電池パックであって、上記アンテナ接続素子が備える上記固定用弾性体に対向する位置に、上記固定用弾性体と接続するように突出する突出部（固定部１５、凸部１７）を備えていることを特徴とする。
【００６３】
上記の構成によれば、上記固定用弾性体と接続するように上記突出部が設置される。このため、上記電池パックを上記電子機器に装着させた際に、上記固定用弾性体の変位を上記突出部の厚み分だけ増加させることができる。よって、上記固定用弾性体により上記電池パックの保持力を向上させることができる。それゆえ、上記突出部を上記電池パックに設けるという簡易な設計で、上記アンテナ接続素子による上記電池パックの保持力を高めることにより、上記電池パックを確実に固定させることができる。
【００６４】
本発明の態様５に係る電池パックは、上記態様４において、上記固定用弾性体と接続する上記突出部の面には、上記固定用弾性体が嵌るように溝が形成されている。
【００６５】
上記の構成によれば、上記電池パックを上記電子機器に装着させた際に、上記固定用弾性体が上記突出部と確実に接続され、上記電池パックの保持力を高めることができる。さらに、上記電子機器が大きな衝撃を受けた際に、上記固定用弾性体が上記突出部から外れることを防止し、上記電池パックを確実に保持することができる。
【００６６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６７】
以上のように、本発明は、固定用バネを設けるという簡易な設計で電池パックの保持力を高めることにより、電池パックを携帯端末に確実に固定することができる。ゆえに、携帯端末だけでなく、電池パックを装着する任意の電子機器に適用することができる。
【符号の説明】
【００６８】
１    バネコネクタ（アンテナ接続素子）
２    給電用バネ（電気的接続端子）
３    固定用バネ（固定用弾性体）
１１  電池パック
１５  固定部（突出部）
１７  凸部（突出部）
【図１】
2014186866.tif 000003
【図２】
2014186866.tif 000004
【図３】
2014186866.tif 000005
【図４】
2014186866.tif 000006
【図５】
2014186866.tif 000007